(57)【要約】【課題】電気機器の駆動に適した交流電圧を電気機器に直接供給する電力供給システム及びそれを用いた電力システムを提供する。【解決手段】電力供給システム８において、メインブレーカ１２は、商用電源からの第１交流電圧Ｖ１が一次側に供給される。変圧器１４は、メインブレーカ１２の二次側に設けられ、第１交流電圧Ｖ１を第１交流電圧Ｖ１をよりも低い第２交流電圧Ｖ２に変換する。サブブレーカ１６は、変圧器１４から出力される第２交流電圧Ｖ２が一次側に供給される。特殊用電源ラインは、サブブレーカ１６の二次側に設けられ、電気機器に第２交流電圧Ｖ２を供給する。第２交流電圧Ｖ２は、配線工事に特定の資格を必要とする電圧よりも低い電圧（例えば、３６Ｖ以下）であってもよい。特殊用電源ラインには、電気機器を接続するための接続器具が設けられてもよい。【選択図】図１
0003197422.tif 000002
【実用新案登録請求の範囲】
【請求項１】
商用電源からの第１交流電圧が一次側に供給されるメインブレーカと、
前記メインブレーカの二次側に設けられ、前記第１交流電圧を第２交流電圧に変換する変圧器と、
前記変圧器から出力される前記第２交流電圧が一次側に供給されるサブブレーカと、
前記サブブレーカの二次側に設けられ、電気機器に前記第２交流電圧を供給するための特殊用電源ラインと、
を備えることを特徴とする電力供給システム。
【請求項２】
商用電源からの第１交流電圧が一次側に供給されるメインブレーカと、
前記メインブレーカの二次側に接続されるサブブレーカと、
前記サブブレーカの二次側に設けられ、前記第１交流電圧を当該第１交流電圧よりも低い第２交流電圧に変換する変圧器と、
前記変圧器の二次側に設けられ、電気機器に前記第２交流電圧を供給するための特殊用電源ラインと、
を備えることを特徴とする電力供給システム。
【請求項３】
前記第２交流電圧は、配線工事に特定の資格が必要とされる電圧よりも低いことを特徴とする請求項１または２に記載の電力供給システム。
【請求項４】
前記メインブレーカの二次側から分岐して設けられ、前記第１交流電圧が一次側に供給される分岐ブレーカと、
前記分岐ブレーカの二次側に設けられ、電気機器に前記第１交流電圧を供給するための一般用電源ラインと、
をさらに備えることを特徴とする請求項１から３のいずれか一項に記載の電力供給システム。
【請求項５】
前記特殊用電源ラインには、当該特殊用電源ラインに電気機器を接続するための接続器具が設けられ、
前記接続器具は、前記一般用電源ラインに電気機器を接続するためのコンセント形状とは異なる形状を有することを特徴とする請求項４に記載の電力供給システム。
【請求項６】
前記メインブレーカ、前記変圧器、前記サブブレーカおよび前記分岐ブレーカは、一つの分電盤内に設けられることを特徴とする請求項４または５に記載の電力供給システム。
【請求項７】
前記特殊用電源ラインに沿って設けられ、電気機器の動作を制御するための信号が流れる制御ラインをさらに備えることを特徴とする請求項１から６のいずれか一項に記載の電力供給システム。
【請求項８】
請求項１から７のいずれか一項に記載の電力供給システムと、前記特殊用電源ラインに接続された電気機器と、を備えることを特徴とする電力システム。
【考案の詳細な説明】
【技術分野】
【０００１】
本考案は、電気機器に電力を供給するための電力供給システム及びそれを用いた電力システムに関する。
【背景技術】
【０００２】
近年、発光素子にＬＥＤ（Light Emitting Diode）を用いた照明機器が注目されている。ＬＥＤは、従来の白熱灯や蛍光灯と比べて消費電力が少なく長寿命であることから、環境負荷の低い照明機器として普及しつつある。ＬＥＤは、直流電源を用いて駆動させることが一般的とされており、大多数のＬＥＤ照明装置では交流入力を直流に変換するための電源回路が組み込まれる（例えば、特許文献１参照）。
【０００３】
また、ＬＥＤ照明用の電源ラインとして、交流の代わりに直流の電源ラインを用いるＬＥＤ照明システムが提案されている。このＬＥＤ照明システムでは、商用電源から供給される交流電力が一括して直流電力に変換され、各ＬＥＤ照明器具には変換後の直流電力が供給される（例えば、特許文献２参照）。
【０００４】
その一方で、交流入力を全波整流して得られる脈流電圧によりＬＥＤを駆動する方法が提案されている。例えば、複数のトランジスタの出力側の一端をそれぞれ、ＬＥＤユニットにおける異なるＬＥＤ段数の接続ポイントに接続することにより、交流入力の電圧に応じて複数のトランジスタが選択的にＬＥＤユニットを駆動するＬＥＤ駆動回路が知られている（例えば、特許文献３参照）。
【先行技術文献】
【特許文献】
【０００５】
【特許文献１】特開２００９−１３４９４５号公報
【特許文献２】特開２０１３−２４７０９７号公報
【特許文献３】特開２０１４−１３５２５２号公報
【考案の概要】
【考案が解決しようとする課題】
【０００６】
ＬＥＤ素子は、従来の白熱灯や蛍光灯と比べて非常に小さいため、より軽く、より薄く、より小さい照明装置を実現させる可能性を秘めている。しかしながら、ＬＥＤを点灯させるための駆動電圧は一般に商用電源電圧と異なるため、ＬＥＤ照明に電圧変換機能を組み込む必要があり、ＬＥＤ照明の軽量化、薄型化、小型化を妨げる要因の一つとなっている。ＬＥＤの点灯に適した直流電圧を照明装置に直接供給すれば、ＬＥＤ照明から電圧変換機能を省くことができるかもしれない。しかしながら、直流電圧を供給するために大容量のスイッチング電源等を用いると、電源で発生した不要輻射雑音が電源ラインを通じて広く拡散するおそれが生じる。
【０００７】
本考案はこうした課題に鑑みてなされたものであり、その目的は、電気機器の駆動に適した交流電圧を電気機器に直接供給する電力供給システムを提供することにある。
【課題を解決するための手段】
【０００８】
上記課題を解決するために、本考案のある態様の電力供給システムは、商用電源からの第１交流電圧が一次側に供給されるメインブレーカと、メインブレーカの二次側に設けられ、第１交流電圧を第２交流電圧に変換する変圧器と、変圧器から出力される第２交流電圧が一次側に供給されるサブブレーカと、サブブレーカの二次側に設けられ、電気機器に第２交流電圧を供給するための特殊用電源ラインと、を備える。
【０００９】
この態様によれば、商用電源の電圧とは異なる第２交流電圧を生成する変圧器により、電気機器の駆動に適した交流電圧を供給することができる。また、特殊用電源ラインの手前にサブブレーカを設けることで、電気機器の配置等を変更するために特殊用電源ラインを工事する場合であっても、サブブレーカの二次側において安全に配線工事をすることができる。
【００１０】
本考案の別の態様の電力供給システムは、商用電源からの第１交流電圧が一次側に供給されるメインブレーカと、メインブレーカの二次側に接続されるサブブレーカと、サブブレーカの二次側に設けられ、第１交流電圧を当該第１交流電圧よりも低い第２交流電圧に変換する変圧器と、変圧器の二次側に設けられ、電気機器に第２交流電圧を供給するための特殊用電源ラインと、を備える。
【００１１】
この態様においても、商用電源の電圧とは異なる第２交流電圧を生成する変圧器により、電気機器の駆動に適した交流電圧を供給することができる。
【００１２】
第２交流電圧は、配線工事に特定の資格が必要とされる電圧よりも低くてもよい。
【００１３】
電力供給システムは、メインブレーカの二次側から分岐して設けられ、第１交流電圧が一次側に供給される分岐ブレーカと、分岐ブレーカの二次側に設けられ、電気機器に第１交流電圧を供給するための一般用電源ラインと、をさらに備えてもよい。
【００１４】
特殊用電源ラインには、当該特殊用電源ラインに電気機器を接続するための接続器具が設けられてもよい。接続器具は、一般用電源ラインに電気機器を接続するためのコンセント形状とは異なる形状を有してもよい。
【００１５】
メインブレーカ、変圧器、サブブレーカおよび分岐ブレーカは、一つの分電盤内に設けられてもよい。
【００１６】
特殊用電源ラインに沿って設けられ、電気機器の動作を制御するための信号が流れる制御ラインをさらに備えてもよい。
【００１７】
本考案のさらに別の態様は、電力システムである。この電力システムは、上述の電力供給システムと、特殊用電源ラインに接続された電気機器と、を備えてもよい。
【考案の効果】
【００１８】
本考案によれば、電気機器の駆動に適した交流電圧を電気機器に直接供給することができる。
【図面の簡単な説明】
【００１９】
【図１】実施の形態に係る照明システムの構成を模式的に示す図である。
【図２】実施の形態に係る照明装置の構成を示す回路図である。
【図３】変形例に係る照明システムの構成を模式的に示す図である。
【図４】別の変形例に係る照明システムの構成を模式的に示す図である。
【図５】さらに別の変形例に係る照明システムの構成を模式的に示す図である。
【考案を実施するための形態】
【００２０】
以下、本考案の実施の形態を図面を参照して説明する。なお、すべての図面において、同様な構成要素には同様の符号を付し、適宜説明を省略する。
【００２１】
図１は、実施の形態に係る照明システム６の構成を模式的に示す図である。照明システム６は、照明装置２０ａ、２０ｂ（以下、総称して照明装置２０ともいう）と、照明装置２０に電力を供給するための電力供給システム８を備える。電力供給システム８は、商用電力系統２からの交流電力を変圧器１４にて変圧し、商用電源の交流電圧（例えば、１００Ｖまたは２００Ｖ）とは異なる交流電圧（例えば、３０Ｖ）を照明用電源ライン２２に供給する。
【００２２】
電力供給システム８は、メインブレーカ１２と、変圧器１４と、サブブレーカ１６と、照明用電源ライン２２と、を備える。図１において、商用電力系統２を上流側、照明用電源ライン２２を下流側とすると、商用電力系統２、受電装置４、メインブレーカ１２、変圧器１４、サブブレーカ１６および照明用電源ライン２２が上流から下流へ向けて順に配置される。なお以下の説明において、上流側を「一次側」、下流側を「二次側」ともいう。
【００２３】
メインブレーカ１２は、その一次側が建物１の受電装置４に接続され、商用電力系統２及び受電装置４を介して商用電源からの第１交流電圧Ｖ１が供給される。変圧器１４は、その一次側がメインブレーカ１２の二次側に接続され、商用電源からの第１交流電圧Ｖ１を照明装置２０の駆動に適した第２交流電圧Ｖ２に変換する。
【００２４】
第２交流電圧Ｖ２は、変圧器１４の二次側の配線工事をする際に電気工事士などの公的な資格を必要とする電圧よりも低い電圧であることが望ましい。例えば、日本国内であれば、３６Ｖ以下の電圧に相当する。第２交流電圧Ｖ２をこのような電圧以下とすることで、二次側の配線工事をする際の安全性を高めることができる。
【００２５】
変圧器１４は、日本国内向けであれば、単相１００Ｖ、単相２００Ｖまたは三相２００Ｖの第１交流電圧Ｖ１を単相３６Ｖ以下の第２交流電圧Ｖ２に変換するように構成される。具体的な第２交流電圧Ｖ２として、例えば、単相３０Ｖ、単相２４Ｖなどが選択される。また日本国外向けであれば、単相１１０Ｖ／１１５Ｖ／１２０Ｖや、単相２２０Ｖ／２３０Ｖ／２４０Ｖ、三相２２０Ｖ／２３０Ｖ／２４０Ｖ／３８０Ｖ／４００Ｖなどの各国にて商用電源として供給される第１交流電圧Ｖ１を所望の第２交流電圧Ｖ２に変換するように変圧器１４が構成される。変圧器１４の具体的構成は特に限定されず、下流側の照明用電源ライン２２にて必要とする電圧および電力量に応じて適切な構成および容量のトランスを変圧器１４として用いればよい。
【００２６】
変圧器１４の一次側には、サージや突入電流等から下流側に接続される照明装置２０を保護するための保護回路が設けられてもよい。この保護回路は、酸化亜鉛（ＺｎＯ）バリスタ素子や、双方向ツェナーダイオード、サーミスタ素子、抵抗およびコンデンサで構成されるスナバ回路などを含む公知の保護回路により構成されてもよい。
【００２７】
変圧器１４の二次側にはサブブレーカ１６の一次側が接続され、サブブレーカ１６の二次側には照明用電源ライン２２が設けられる。したがって、照明用電源ライン２２には、商用電源からの第１交流電圧Ｖ１とは異なる第２交流電圧Ｖ２が供給される。
【００２８】
照明用電源ライン２２は、建物１に設けられる照明装置２０に第２交流電圧Ｖ２を供給するための電力線であり、例えば、建物１の天井や壁の内側に配線される。照明用電源ライン２２には照明装置２０を接続するための専用の接続器具２４ａ、２４ｂ（以下、総称して接続器具２４）が設けられてもよい。接続器具２４は、ソケットやプラグなどの器具であり、後述する一般用電源ライン７２のコンセント７４ａ、７４ｂとは異なる形状を有することが望ましい。つまり、接続器具２４は、一般的な電気機器７０のプラグが接続されないような形状を有することが望ましい。これは、使用電圧の異なる電気機器７０が誤接続されるのを防止可能とし、誤接続による機器の故障を防ぐためである。なお、照明用電源ライン２２に配線を直接カシメ等で接続することで照明装置２０を照明用電源ライン２２に接続してもよい。
【００２９】
電力供給システム８は、分岐ブレーカ１８と、一般用電源ライン７２をさらに備えてもよい。分岐ブレーカ１８は、メインブレーカ１２の二次側から分岐して接続される。分岐ブレーカ１８の二次側には、一般用電源ライン７２が設けられる。したがって、一般用電源ライン７２には、商用電源からの第１交流電圧Ｖ１が供給される。
【００３０】
一般用電源ライン７２は、建物１に設けられる一般の電気機器７０に第１交流電圧Ｖ１を供給するための電力線であり、例えば、建物１の天井や壁の内側に配線される。一般用電源ライン７２には、電気機器７０を接続するためのコンセント７４ａ、７４ｂが設けられ、コンセント形状に対応した電気機器７０が接続される。
【００３１】
図示されるように、メインブレーカ１２、変圧器１４、サブブレーカ１６は、一つの分電盤１０の内部に設けられてもよい。また、電力供給システム８が分岐ブレーカ１８および一般用電源ライン７２を備える場合には、分電盤１０の内部に分岐ブレーカ１８が設けられてもよい。電力供給システム８を構成するこれらの機器を一つの分電盤１０に配置することで、電力供給システム８のメンテナンス性を向上させることができる。
【００３２】
次に、照明用電源ライン２２に接続される照明装置２０について説明する。
図２は、実施の形態に係る照明装置２０の構成を示す回路図である。照明装置２０は、発光ユニット３０と駆動回路４０を含む。駆動回路４０は、照明用電源ライン２２から供給される第２交流電圧Ｖ２を入力として発光ユニット３０を駆動する。
【００３３】
発光ユニット３０は、直列接続されるＮ個のサブユニット３２＿１、３２＿２、・・・、３２＿Ｎ（以下、総称してサブユニット３２ともいう）で構成される。複数のサブユニット３２には、それぞれ一以上の発光素子が含まれる。したがって、発光ユニット３０は、直列接続された複数の発光素子を有する。発光ユニット３０に含まれる発光素子は、ＬＥＤであり、例えば、照明用途に適した白色ＬＥＤである。
【００３４】
サブユニット３２は、直列に接続される二以上の発光素子を含んでもよい。複数のサブユニット３２は、それぞれ同数の直列接続された発光素子を含んでもよいし、異なる数の発光素子を含んでもよい。例えば、第１サブユニット３２＿１は、直列接続される二個の発光素子を含み、第２サブユニット３２＿２から第Ｎサブユニット３２＿Ｎは、それぞれ直列接続される三個の発光素子を含む。
【００３５】
発光ユニット３０は、脈流電圧ＶＯＵＴの尖頭値付近において、Ｎ個のサブユニット３２＿１〜３２＿Ｎの全ての発光素子が点灯可能となるように直列接続される発光素子の数が設定される。例えば、第２交流電圧Ｖ２が３０Ｖであれば、脈流電圧ＶＯＵＴの尖頭値は約４２Ｖであり、白色ＬＥＤの順方向降下電圧ＶＦは約３．２Ｖ前後であることから、尖頭値付近にて点灯可能となる発光素子数は１０個〜１４個程度となる。そこで、第２交流電圧Ｖ２＝３０Ｖで駆動可能となるようにするには、例えば、計１２個のＬＥＤが直列接続される発光ユニット３０とすればよい。このような発光ユニット３０は、それぞれが直列接続される３個のＬＥＤを有する第１〜第４サブユニット３２＿１〜３２＿４を含んでもよい。
【００３６】
なお、サブユニット３２は、並列に接続される二以上の発光素子を含んでもよいし、直列接続される二以上の発光素子で構成される発光素子列を並列に複数本接続したもので構成されてもよい。また、複数のサブユニット３２は、並列接続される発光素子列をそれぞれ同数含んでもよいし、それぞれ異なる本数の発光素子列を含んでもよい。サブユニット３２に含まれる発光素子列の本数を増やすことにより、駆動可能となる第２交流電圧Ｖ２を変えることなく、発光ユニット３０全体としての光量を増やすことができる。なお、発光ユニット３０に用いられるＬＥＤ素子の出力を変更することにより、発光ユニット３０全体としての光量を調整してもよい。
【００３７】
発光ユニット３０は、共通入力３４と、Ｎ個のサブユニット３２に対応したＮ個の接続点３６＿１、３６＿２、・・・、３６＿Ｎ（以下、総称して接続点３６ともいう）と、を有する。共通入力３４は、整流器４５の第１出力４６に接続され、Ｎ個の接続点３６は、定電流回路４１のＮ個のトランジスタ４２＿１、４２＿２、・・・４２＿Ｎのそれぞれに接続される。
【００３８】
駆動回路４０は、定電流回路４１と整流器４５を備える。整流器４５は、照明用電源ライン２２から供給される第２交流電圧Ｖ２を整流し、第１出力４６と第２出力４７の間に脈流電圧ＶＯＵＴを発生させる。整流器４５は、図示されるように、ダイオードブリッジにより構成される。
【００３９】
定電流回路４１は、発光ユニット３０と、整流器４５の第２出力４７との間に接続される。定電流回路４１は、発光ユニット３０のＮ個の接続点３６のそれぞれに順に定電流を供給するように構成される。定電流回路４１は、整流器４５からの脈流電圧ＶＯＵＴに応じて定電流を供給する接続点３６を順番に切り替えることで、複数のサブユニット３２を段階的に駆動する。
【００４０】
例えば、脈流電圧ＶＯＵＴが第１サブユニット３２＿１のみ駆動可能な電圧値である場合、定電流回路４１は、第１接続点３６＿１に定電流を供給する。その後、脈流電圧ＶＯＵＴが第１サブユニット３２＿１と第２サブユニット３２＿２の双方を駆動可能な電圧値に上昇した場合、定電流回路４１は、第２接続点３６＿２に定電流を供給する。さらに、脈流電圧ＶＯＵＴが尖頭値に近づいて、Ｎ個のサブユニット３２＿１〜３２＿Ｎの全てを駆動可能な電圧値となった場合、定電流回路４１は、第Ｎ接続点３６＿Ｎに定電流を供給する。一方、脈流電圧ＶＯＵＴが尖頭値から低下していくとき、定電流回路４１は、低下する電圧値に応じて定電流を供給する接続点３６を切り替えていく。
【００４１】
このとき、発光ユニット３０に供給される電流ＩＬＥＤは、駆動するサブユニット３２の数に応じて段階的に設定される。より具体的には、駆動するサブユニット３２の数が増えるにつれて、または、駆動する発光素子の数が増えるにつれて、駆動電流ＩＬＥＤが段階的に大きくなるように設定される。
【００４２】
定電流回路４１は、発光ユニット３０のＮ個の接続点３６に対応したＮ個のトランジスタ４２＿１、４２＿２、・・・４２＿Ｎ（以下、総称してトランジスタ４２ともいう）と、Ｎ個のトランジスタ４２の動作を制御する駆動制御部４３とを有する。
【００４３】
トランジスタ４２は、図示されるように、電界効果トランジスタ（ＦＥＴ）である。Ｎ個のトランジスタ４２のドレイン端子は、発光ユニット３０の異なる発光素子段の接続点３６にそれぞれ接続される。トランジスタ４２のソース端子は、駆動制御部４３に接続される。トランジスタ４２のゲート端子には、駆動制御部４３からの制御信号が入力される。なおトランジスタ４２として、ＦＥＴの代わりにバイポーラトランジスタを用いてもよい。
【００４４】
駆動制御部４３は、トランジスタ４２に流れる電流Ｉ１、Ｉ２、・・・、ＩＮを検出し、トランジスタ４２に所望の定電流が流れるように各トランジスタ４２のゲート端子へ制御信号を出力する。駆動制御部４３は、トランジスタ４２の各ソース端子に接続されており、トランジスタ４２に流れる電流Ｉ１、Ｉ２、・・・、ＩＮの少なくとも一部が駆動制御部４３を介して第２出力４７に流れるように構成される。駆動制御部４３は、公知技術を用いればよく、その構成は限定されない。駆動制御部４３は、抵抗、トランジスタ、オペアンプ等の回路素子で構成される制御回路であってもよいし、所定のプログラムに基づく処理により制御信号を生成するマイコン等を含んでもよい。
【００４５】
駆動回路４０は、整流器４５からの脈流電圧ＶＯＵＴを平滑化して、発光ユニット３０に供給される電圧が所定の閾値電圧を下回らないようにするコンデンサ４８を備えてもよい。コンデンサ４８を設けることにより、発光ユニット３０の点灯しない期間が生じてフリッカ現象が発生することを防ぐことができる。
【００４６】
本実施の形態によれば、照明装置の駆動に適した交流電圧を照明装置２０に直接供給することができる。そのため、各照明装置２０に変圧器や直流電源を設ける必要がなくなり、ＬＥＤ照明の軽量化、薄型化、小型化を実現することができる。一般的なＬＥＤ照明に組み込まれる直流電源は、ＬＥＤ素子と比較して寿命が短いことから、各照明装置２０に直流電源を設けないようにすることで、照明装置２０の長寿命化を実現することができる。また、照明装置２０を駆動させるためにスイッチング電源などの直流電源を必要としないため、不要輻射雑音の発生を抑制できる。
【００４７】
また、本実施の形態によれば、変圧器１４を介して照明用電源ライン２２が設けられることから、照明用電源ライン２２を商用電力系統２から絶縁することができる。これにより、照明用電源ライン２２の電気的な安全性を高めることができる。また、照明用電源ライン２２に流れる電圧を３６Ｖ以下とすることで、電気工事士の資格によらず照明用電源ライン２２の配線工事が可能となる。これにより、照明用電源ライン２２の配線工事に必要なコストを低減させることができる。
【００４８】
例えば、百貨店やショッピングモールなどの大型商業施設における店舗スペースや大型展示場における展示ブースでは、比較的短期間で販売や展示の内容が変更されるため、それに伴って照明設備を変更したいというニーズがある。照明設備を変更させるために照明用の配線工事をする場合、通常、商用電源と同じ１００Ｖの配線工事が必要となるため、電気工事士による作業が必要となり、１００Ｖ用の配線器具が必要となる。一方、本実施の形態によれば、照明用電源ライン２２の構築に比較的耐圧の低い配線器具を使用することができるとともに、資格者による工事が不要となる。また１００Ｖ用の照明と比べて、軽量、薄型、小型の照明装置２０を採用することができるため、照明装置２０を固定および支持するための設備を簡易化することができる。これにより、照明設備の変更に伴う配線工事等に必要なコストを低減することができる。
【００４９】
（変形例１）
図３は、変形例に係る照明システム６の構成を模式的に示す図である。本変形例に係る照明システム６では、電力供給システム８が照明用制御ライン２６および照明制御装置２８をさらに備える点で上述の実施の形態と相違する。以下、上述の実施の形態との相違点を中心に述べる。
【００５０】
照明制御装置２８は、照明用電源ライン２２に接続される各照明装置２０の動作を一括して制御するための装置である。照明制御装置２８は、照明用制御ライン２６を介して各照明装置２０に接続され、各照明装置２０のオンオフや点灯輝度、点灯色などを制御するための信号を生成し、照明用制御ライン２６を介して各照明装置２０に送信する。照明制御装置２８は、例えば、分電盤１０の内部に設けられる。照明制御装置２８は、各照明装置２０のオンオフを切り替えるためのスイッチ等により構成されてもよいし、タッチパネル式の液晶ディスプレイなどの操作表示機器と、入力操作に応じた制御信号を生成するマイコン等を含む制御回路とにより構成されてもよい。
【００５１】
照明用制御ライン２６は、照明制御装置２８からの制御信号を各照明装置２０に伝送する。照明用制御ライン２６は、ＬＡＮなどの各照明装置２０に共通の通信線により構成されてもよいし、各照明装置２０に対して個別に設けられる複数の通信線により構成されてもよい。照明用制御ライン２６は、照明用電源ライン２２に沿って配設され、接続器具２４に接続される。これにより、各照明装置２０を対応する接続器具２４に接続するだけで、各照明装置２０に電力線と制御線の双方が接続されるようにすることができる。
【００５２】
本変形例によれば、照明用電源ライン２２および照明用制御ライン２６に接続される各照明装置２０の動作を一元的に管理することができる。また、照明用電源ライン２２と照明用制御ライン２６を並走させることにより、共通の接続器具２４によって電力と制御信号の双方を各照明装置２０に供給することができる。これにより、電力線と制御線を別々に接続する必要がある場合と比べて、各照明装置２０の設置作業を容易にすることができる。また、照明制御装置２８を分電盤１０に設けることで、電力供給システム８の主要な機器を一箇所で管理することができ、電力供給システム８のメンテナンスに必要な手間を軽減させることができる。
【００５３】
(変形例２）
図４は、別の変形例に係る照明システム６の構成を模式的に示す図である。本変形例は、上述の照明装置２０に含まれる発光ユニット３０と駆動回路４０が分離され、分電盤１０の内部に各発光ユニット３０ａ〜３０ｃを駆動させるための駆動回路４０ａ〜４０ｃが設けられる点で上述の実施の形態と相違する。以下、上述の実施の形態との相違点を中心に述べる。
【００５４】
照明システム６は、メインブレーカ１２と、変圧器１４と、サブブレーカ１６と、照明用電源ライン２２と、照明用制御ライン２６と、照明制御装置２８と、駆動回路４０ａ〜４０ｃと、発光ユニット３０ａ〜３０ｃと、を備える。図示されるように、各駆動回路４０ａ〜４０ｃは、照明用電源ライン２２および照明用制御ライン２６に接続され、メインブレーカ１２や照明制御装置２８とともに一つの分電盤１０の内部に設けられる。
【００５５】
各発光ユニット３０ａ〜３０ｃと、これらに対応する駆動回路４０ａ〜４０ｃとの間は、複数の接続線で構成される駆動ライン３５ａ〜３５ｃにより接続される。各駆動ライン３５ａ〜３５ｃは、図２に示される駆動回路４０と、発光ユニット３０の共通入力３４および各接続点３６＿１〜３６＿Ｎとを接続する接続線に対応する。
【００５６】
本変形例によれば、照明装置の本体部から駆動回路４０を分離し、発光ユニット３０のみを照明装置の本体部とすることができる。これにより、照明装置の本体部をより軽く、薄く、小型にすることができる。また、各駆動回路４０ａ〜４０ｃを一つの分電盤１０の内部に配置することで、これらを一括してメンテナンスすることができる。
【００５７】
(変形例３）
図５は、さらに別の変形例に係る照明システム６の構成を模式的に示す図である。本変形例は、変圧器１４とサブブレーカ１６の接続の順序が図１と逆になる点で、上述の実施の形態と異なる。図示されるように、本変形例ではメインブレーカ１２の二次側にサブブレーカ１６が接続され、サブブレーカ１６の二次側に変圧器１４が設けられ、変圧器１４の二次側に照明用電源ライン２２が設けられる。メインブレーカ１２、サブブレーカ１６、変圧器１４は、一つの分電盤１０の内部に設けられる。本変形例においても、上述の実施の形態と同様の効果を得ることができる。
【００５８】
さらなる変形例においては、分岐ブレーカ１８の二次側に変圧器１４が接続されてもよい。つまり、一般用電源ライン７２に変圧器１４が設けられるとともに、変圧器１４の二次側に照明用電源ライン２２が設けられてもよい。このとき、変圧器１４は、分電盤１０の内部に設けられてもよいし、分電盤１０の外に設けられてもよい。また、変圧器１４の二次側にはさらに別のブレーカが設けられてもよい。
【００５９】
以上、本考案を実施の形態をもとに説明した。実施の形態は例示であり、それらの各構成要素や各処理プロセスの組合せにいろいろな変形例が可能なこと、またそうした変形例も本考案の範囲にあることは当業者に理解されるところである。
【００６０】
上述の実施の形態および変形例においては、照明用電源ライン２２および一般用電源ライン７２をそれぞれ一本ずつ設ける場合を示した。さらなる変形例においては、照明用電源ライン２２および一般用電源ライン７２が複数本設けられてもよい。照明用電源ライン２２を複数設ける場合には、変圧器１４の二次側を分岐させてサブブレーカ１６を複数設け、それぞれのサブブレーカ１６に対して照明用電源ライン２２を設けてもよい。その他、メインブレーカ１２の二次側を分岐させて変圧器１４を複数設けることにより照明用電源ライン２２を複数設けてもよい。この場合、複数の変圧器１４の二次側の電圧は、それぞれ同じであってもよいし、照明用電源ライン２２によって異なっていてもよい。
【００６１】
上述の実施の形態および変形例においては、有線の照明用制御ライン２６により各照明装置または各発光ユニットの点灯を制御させることとした。さらなる変形例においては、無線通信や赤外線通信などの手法により各照明装置または各発光ユニットの点灯が制御可能となるようにしてもよい。例えば、赤外線の受光センサーを駆動回路に接続させ、赤外線リモコンの操作により各照明装置または各発光ユニットの点灯が制御できるようにしてもよい。
【００６２】
上述の実施の形態および変形例においては、第２交流電圧を供給する照明用電源ライン２２に照明装置を接続させる構成について説明した。さらなる変形例においては、第２交流電圧を供給する電源ラインとして、照明装置もしくは照明以外の電気機器を接続させるための特殊用電源ラインを設けることとしてもよい。つまり、照明用電源ライン２２の代わりにサブブレーカ１６に接続される特殊用電源ラインを設けてもよい。この場合、特殊用電源ラインを含む電力供給システムと、特殊用電源ラインに接続される電気機器とを備える電力システムを構築してもよい。
【００６３】
本考案の一態様は次の通りである。ある態様の電力供給システムは、商用電源からの第１交流電圧が一次側に供給されるメインブレーカと、前記メインブレーカの二次側に設けられ、前記第１交流電圧を当該第１交流電圧よりも低い第２交流電圧に変換する変圧器と、前記変圧器から出力される前記第２交流電圧が一次側に供給されるサブブレーカと、
前記サブブレーカの二次側に設けられ、照明装置に前記第２交流電圧を供給するための照明用電源ラインと、を備える。
【００６４】
本考案の別の態様の電力供給システムは、商用電源からの第１交流電圧が一次側に供給されるメインブレーカと、前記メインブレーカの二次側に接続されるサブブレーカと、前記サブブレーカの二次側に設けられ、前記第１交流電圧を当該第１交流電圧よりも低い第２交流電圧に変換する変圧器と、前記変圧器の二次側に設けられ、照明装置に前記第２交流電圧を供給するための照明用電源ラインと、を備える。
【００６５】
前記第２交流電圧は、配線工事に特定の資格が必要とされる電圧よりも低くてもよい。
【００６６】
電力供給システムは、前記メインブレーカの二次側から分岐して設けられ、前記第１交流電圧が一次側に供給される分岐ブレーカと、前記分岐ブレーカの二次側に設けられ、電気機器に前記第１交流電圧を供給するための一般用電源ラインと、をさらに備えてもよい。
【００６７】
前記照明用電源ラインには、当該照明用電源ラインに前記照明装置を接続するための接続器具が設けられ、前記接続器具は、前記一般用電源ラインに前記電気機器を接続するためのコンセント形状とは異なる形状を有してもよい。
【００６８】
前記メインブレーカ、前記変圧器、前記サブブレーカおよび前記分岐ブレーカは、一つの分電盤内に設けられてもよい。
【００６９】
前記照明装置は、直列接続された複数の発光素子を有する発光ユニットと；前記第２交流電圧を整流し、前記発光ユニットの一端が接続される第１出力と第２出力との間に脈流電圧を生じさせる整流器と、前記発光ユニットと前記第２出力の間に接続され、前記発光ユニットの異なる発光素子段の接続点のそれぞれに順に定電流を供給し、前記脈流電圧に応じて前記複数の発光素子を段階的に駆動する定電流回路と、を有する駆動回路と；を含んでもよい。
【００７０】
電力供給システムは、前記照明用電源ラインに沿って設けられ、前記照明装置の動作を制御するための信号が流れる照明用制御ラインをさらに備えてもよい。
【００７１】
本考案のさらに別の態様は、照明システムである。この照明システムは、上述の電力供給システムと、直列接続された複数の発光素子を有する発光ユニットと、前記照明用電源ラインに接続され、前記第２交流電圧を入力として前記発光ユニットを駆動する駆動回路と、を備え、前記駆動回路は、前記第２交流電圧を整流し、前記発光ユニットの一端が接続される第１出力と第２出力との間に脈流電圧を生じさせる整流器と、前記発光ユニットと前記第２出力の間に接続され、前記発光ユニットの異なる発光素子段の接続点のそれぞれに順に定電流を供給し、前記脈流電圧に応じて前記複数の発光素子を段階的に駆動する定電流回路と、を有する。
【００７２】
照明システムは、前記駆動回路の動作を制御する照明制御装置をさらに備え、前記メインブレーカ、前記変圧器、前記サブブレーカ、前記駆動回路及び前記照明制御装置は、一つの分電盤内に設けられてもよい。
【符号の説明】
【００７３】
６  照明システム、  ８  電力供給システム、  １０  分電盤、  １２  メインブレーカ、  １４  変圧器、  １６  サブブレーカ、  １８  分岐ブレーカ、  ７０  電気機器、  ７２  一般用電源ライン、  ７４  コンセント。
【図１】
0003197422.tif 000003
【図２】
0003197422.tif 000004
【図３】
0003197422.tif 000005
【図４】
0003197422.tif 000006
【図５】
0003197422.tif 000007